(57)【要約】【課題】公知のガイドシステムの制限がなく、これら制限を最小化するシステムを提案する。【解決手段】時計のためのガイドシステム１であって、該システム１が、平面における軌道に沿って移動可能なスライダ４を含んでいる、前記システムにおいて、少なくとも１つのスライドバー５と、スライダ４に結合され、平面においてスライダ４の側方変位をコントロールするためにスライドバー５においてスライドするように設定された、少なくとも３つの整列されていないガイドピン１１と、スライダ４をスライドバー５の底部に対して押圧し、平面に対して垂直なスライダ４の変位をブロックするために前記スライダ４に対して設置される上側の支持要素とを備えている。【選択図】図１Ａ
2019056703.tif 000002
【特許請求の範囲】
【請求項１】
時計のためのガイドシステム（１；１００；２００）であって、該システム（１；１００；２００）が、平面（ｘ，ｙ）における軌道に沿って移動可能なスライダ（４；１０４；２０４）を含んでいる、前記システムにおいて、
−少なくとも１つのスライドバー（５；１０５；２０５）と、
−前記スライダに結合され、前記平面において該スライダ（４；１０４；２０４）の側方変位をコントロールするために前記スライドバー（５；１０５；２０５）においてスライドするように設定された、少なくとも３つの整列されていないガイドピン（１１；１１１；２１１）と、
−前記スライダを前記スライドバー（５；１０５；２０５）の底部に対して押圧し、前記平面に対して垂直な前記スライダ（４；１０４；２０４）の変位をブロックするために前記スライダ（４；１０４；２０４）に対して設置される上側の支持要素と
を備えていることを特徴とするシステム。
【請求項２】
前記スライダ（４；１０４；２０４）が、内歯部（１１５；２１５）を有するホイール、内歯部（１５）を有する半ホイール又はラックと一体的に統合されているとともに、ピニオン（１４；１１４；２１４）によって駆動されることを特徴とする請求項１に記載のシステム（１；１００；２００）。
【請求項３】
前記ガイドピン（１１；１１１；２１１）が、前記スライドバー（５；１０５；２０５）に収容されたルビーを含むか、又は該ルビーで構成されていることを特徴とする請求項１に記載のシステム（１；１００；２００）。
【請求項４】
前記ガイドピン（１１；１１１；２１１）の先端部が円すい形を有していることを特徴とする請求項１に記載のシステム（１；１００；２００）。
【請求項５】
前記スライドバー（５；１５；２０５）の断面がＶ字状であることを特徴とする請求項４に記載のシステム（１；１００；２００）。
【請求項６】
前記スライドバー（５；１０５；２０５）が、直線状部分、湾曲状部分、半円状部分、円形状部分から選択される部分を含んでいることを特徴とする請求項１に記載のシステム（１；１００；２００）。
【請求項７】
前記スライダ（４；１０４；２０４）が、表示手段（１３；１１３；２１３）、例えば時表示部、分表示部、秒表示部、カレンダー又は天文暦を有していることを特徴とする請求項１に記載のシステム（１；１００；２００）。
【請求項８】
前記上側の支持要素が、ショックアブソーバと、上側の支持面を形成するプレートとを含んでおり、前記ショックアブソーバが、前記スライダ（４；１０４；２０４）と前記プレートの間で圧縮されることを特徴とする請求項１に記載のシステム（１；１００；２００）。
【請求項９】
前記上側の支持要素が、文字盤、ガイドプレート又は時計ガラスによって構成されていることを特徴とする請求項１に記載のシステム（１；１００；２００）。
【請求項１０】
前記スライドバー（５；１０５；２０５）が、時計ムーブメント又は時計モジュールのプレート（２；１０２；２０２）に固定されるように設定された支持部に設けられていることを特徴とする請求項１に記載のシステム（１；１００；２００）。
【請求項１１】
当該システム（１）が、軌道に沿った２つのスライドバー（５）と、少なくとも３つの整列していないガイドピン（１１）を含む前記スライダ（４）とを含んでおり、その結果、前記スライダ（４）が軌道に沿って移動するときに前記スライダ（４）が２つのスライドバー（５）において同時に移動し、前記スライドバー（５）がそれぞれ少なくとも１つのガイドピン（１１）と協働することを特徴とする請求項１に記載のシステム（１；１００；２００）。
【請求項１２】
当該システム（１；１００；２００）が、軌道に沿った円形のスライドバー（１０５；２０５）と、少なくとも３つのガイドピン（１１１；２１１）を含む前記スライダ（１０４；２０４）とを含んでおり、その結果、前記スライダ（１０４；２０４）が軌道に沿って移動するときに前記ピン（１１１；２１１）が円形状のスライドバー（１０５；２０５）において同時に移動することを特徴とする請求項１に記載のシステム（１；１００；２００）。
【請求項１３】
請求項１に記載された少なくとも１つのガイドシステム（１；１００；２００）を含む、時計のためのモジュール。
【請求項１４】
当該モジュールが、
−請求項１１に記載の２つのシステム（１）、又は
−請求項１１に記載の１つのシステム（１）及び請求項１２に記載の１つのシステム（１００；２００）
を含んでいることを特徴とする請求項１３に記載のモジュール。
【請求項１５】
各システムの前記スライダ（４；１０４；２０４）が表示手段を含んでいることを特徴とする請求項１３に記載のモジュール。
【発明の詳細な説明】
【技術分野】
【０００１】
本発明は、時計のためのガイドシステムと、該システムを含む、時計のためのモジュールとに関するものである。
【背景技術】
【０００２】
時計の文字盤における指示部の変位、例えば時間指示部の変位を制御する装置が知られている。
【０００３】
特許文献１には、２つ貝殻状のループ、すなわち内側ループと外側ループの形態で実装された閉回路において時針が移動する時計が記載されており、これらループは、交点において交差している。ループは、時計の文字盤に設けられている。針は、交互に外側のループから内側のループに切り換えるための溝において移動するレバーに連結されているとともに、レバーが交点に達すると戻る。レバーは、溝に永続的に接触している３つのホイールを含んでいる。衝撃が生じた場合には、装置は、レバーが溝においてガイドされることを保証する手段又はレバーが交点においてブロックされることを妨げる手段を有していない。
【０００４】
特許文献２には、中央において回転するガイド部材を含む時計のための回転ベゼルが記載されている。回転部材が作動されると、回転部材は、回転部材の周辺領域に位置決めされたスライド部材へ載置されることになり、直線状の溝におけるスライド部材の並進運動を駆動し、各部材は、溝において配置される。
【０００５】
特許文献３には、自動ムーブメントのための計算機構が記載されている。この機構は、レールを用いるリニアガイド装置によって当該ホイールに取り付けられたカムを有するホイールを含んでいる。ホイールの回転により、カムが回転式に駆動される。カムの位置は、カムの溝に挿入されたフィンガを有するカム制御部によって制御される。ムーブメントも、カムの並進運動又は疑似並進運動をガイドするカムと協働するプローブを含んでいる。
【０００６】
特許文献４には、表示装置へ作用する第１の補正部材と第２の補正部材を含む駆動機構、例えば日付機構が記載されている。この機構は、２つの位置、すなわち第１の補正部材が作動されるときにこの機構が表示装置を駆動する１つの位置と、機構が表示機構から連結解除され、第２の補正部材が表示装置へ作用する第２の位置とを占めることができる。
【０００７】
本出願による特許文献５には、時刻指示部を有する半ディスクを含む装置が開示されている。半ディスクは、溝において並進運動及び回転運動するスライダに取り付けられている。半ディスクは、直線的な端部において小室を含んでおり、これら小室は、溝の延長部に位置決めされたスライドバーに挿入されており、半ディスクが並進運動している場合には、半ディスクの小室は、半ディスクの並進運動を制御するためにスライドバーに収容されることとなる。
【０００８】
現存するガイドシステムは、衝撃が生じる場合に十分な結果をもたらすものではない。衝撃の間には、針のスライダが溝から出て、装置がもはや動作しないということが生じ得る。
【０００９】
半ディスクの歯が駆動ホイールと正確に噛合するときに、スライダの不正確な位置決めにより半ディスクがブロックされることが生じる。
【００１０】
したがって、歯の挿入の正確性を改善するためにスライダの保持が最適化される、ガイドシステムが必要とされる。
【００１１】
特許文献５の装置は、組立が更に複雑である。よりシンプルなシステムが必要である。
【先行技術文献】
【特許文献】
【００１２】
【特許文献１】米国特許第６８０９９９２号明細書
【特許文献２】国際公開第２０１１／１６０２４２号
【特許文献３】欧州特許出願公開第３２１１４８７号明細書
【特許文献４】欧州特許出願公開第１９５３６１１号明細書
【特許文献５】欧州特許出願公開第０５０９９６５号明細書
【発明の概要】
【発明が解決しようとする課題】
【００１３】
本発明の１つの目的は、公知のガイドシステムの制限がなく、これら制限を最小化するシステムを提案することにある。
【課題を解決するための手段】
【００１４】
本発明によれば、上記目的は、とりわけ、時計のためのガイドシステムであって、該システムが、平面（ｘ，ｙ）における軌道に沿って移動可能なスライダを含んでおり、
−少なくとも１つのスライドバーと、
−前記スライダに結合され、前記平面における該スライダの側方変位をコントロールするために前記スライドバーにおいてスライドするように設定された、少なくとも３つの整列されていないガイドピンと、
−前記スライダを前記スライドバーの底部に対して押圧し、前記平面に対して垂直な前記スライダの変位をブロックするために前記スライダに対して設置される上側の支持要素と
を備えているシステムによって達成される。
【００１５】
この解決手段は、とりわけ、上側の支持要素により、軌道に沿ったスライダの変位が３つの全ての次元、すなわちスライドバーによって平面（ｘ，ｙ）において、及び平面（ｘ，ｙ）に対して垂直な軸線（ｚ）に沿ってコントロールされるガイドシステムを提案する、従来技術を超える利点を有する。
【００１６】
スライダは、後述するように、上側の支持要素に対して直接設置されることができるか、又はショックアブソーバによって設置されることができる。
【００１７】
スライダの側方変位をコントロールするために、システムは軌道に沿ってスライドバーを含んでおり、その結果、軌道を規定するスライドバーにおいてガイドピンがスライドする。
【００１８】
ガイドピンは、駆動されることができるか、又は他の手段によってスライダに接着若しくは固定されることが可能である。
【００１９】
ガイドピンは、スライダと一体的に統合されている。
【００２０】
ガイドピンは、スライダと一体的に構成されることができる。
【００２１】
ガイドピンは、スライダの内面から延びる突起部を形成することが可能である。
【００２２】
ガイドピンは、スライドバーに収容されるように設定されている。ガイドピンがスライドバーにあれば、その側方変位は、これらピンとスライドバーの壁部の間の接触によって制限される。したがって、ガイドピンは、軌道に沿ってスライダを保持する。
【００２３】
３つのピンを用いることで、軌道に沿ったスライダの変位中に平面（ｘ，ｙ）においてスライダを保持することが可能となる。
【００２４】
とりわけ衝撃が生じる場合に、ピンによりスライダの安定性が保証される。
【００２５】
３つのピンの存在により、スライドバーにおけるスライダの変位の正確性を改善することでシステムの信頼性を向上させることが可能である。
【００２６】
例えば、３つのガイドピンは、三角形の頂部に位置決めされる。
【００２７】
ガイドピンは、スライダと共に移動することができる。軌道全体に沿ったガイド要素を設ける代わりに、ガイドピンが移動する。
【００２８】
スライドバーの断面はＶ字状であってよい。
【００２９】
ガイドピンの先端部、すなわちスライダから離れた端部は円すい状であり、円すい角は、スライドバーの底部の角度に対応している。
【００３０】
ガイドピンの先端部は、スライドバーの断面に対して補足的な形状をもつ断面を有している。
【００３１】
ガイドピンの先端部、換言すればスライドバーにおいてとりわけスライドバーの底部及び／又は壁部に接触する端部は、ルビー又は良好な摩擦係数を備えた他の硬質材料で構成されることが可能である。
【００３２】
ガイドピン又はピンは、先端部においてルビー部分を含むことが可能である。
【００３３】
ルビーのみで構成されたガイドピンを用いることも可能である。
【００３４】
ガイドピンの先端部における少なくともルビーでの使用により、スライドバーにおけるガイドピンの変位がより容易となる。これにより、ピンの抵抗も改善され、接触する部分の摩耗及び引き裂きが最小化される。
【００３５】
システムも、スライダの変位平面に対して垂直な軸線（ｚ）に沿ったスライダの変位をブロックするためにスライダに対して載置される上側の支持要素も含んでいる。
【００３６】
ガイドピンがスライドバー又はそのスライドバーに収容されているときに、この軸線（ｚ）に沿ったスライダの変位は、スライドバーの底部によってブロックされ、逆方向においては支持要素によってブロックされ、これにより、ｚに沿った正確な位置にスライダを保持することが可能となる。
【００３７】
したがって、スライダは、スライドバーと支持要素の間に保持されており、平面（ｘ，ｙ）におけるスライダの側方の安定性と、軸線（ｚ）に沿った横方向の安定性とが保証される。
【００３８】
スライドバーは、閉ループ又は開ループであり得る。
【００３９】
スライドバーは、直線状、湾曲状、半円状及び／又は円形状の部分を含むことができる。
【００４０】
一実施例では、スライダは、内歯部を有するホイール、内歯部を有する半ホイール又はラックと一体的に統合されているとともに、ピニオンによって駆動される。
【００４１】
ガイドシステムは、少なくとも３つのピンを含んでいる。４つのピンがある場合には、これらピンは、正方形、長方形又は他の四角形の頂部に位置決めされる。４つのピンの使用は、不静定（ｈｙｐｅｒｓｔａｔｉｃ）であるもののスライダの側方の安定性を改善する可能性がある。
【００４２】
一実施例では、スライダは、表示手段、例えば時針、分針、秒針、カレンダー又は天文暦を有している。ガイドシステムにより、例えば針が所定の軌道に従うように、表示手段の変位をコントロールすることが可能である。本発明によるシステムは、だ円軌道又はカレンダー（暦）に沿って天体を移動させるために、文字盤の上又は下で他の指示部を駆動するためにも用いられることが可能である。
【００４３】
一実施例によれば、上側の支持要素が、ショックアブソーバと、上側の支持面を形成するプレートとを含んでおり、ショックアブソーバは、スライダとプレートの間で圧縮される。ショックアブソーバは、スライドバーに対してスライダを押圧するためにスライダへ載置力を作用させる。さらに、ショックアブソーバにより、考えられる遊び及び許容誤差を補償し、システムの衝撃抵抗性を改善することが可能である。
【００４４】
ショックアブソーバは、弾性的な特性も有しており、この弾性的な特性により、衝撃時に軸線（ｚ）に沿ったスライダの変位を抑制することが可能である。例えば、ショックアブソーバは、圧縮スプリング、らせんスプリング又はストリップスプリングであり得る。
【００４５】
上側の支持部を形成するプレートは、文字盤であり得る。
【００４６】
上側の支持部を形成するプレートは、文字盤の下方のガイドプレートであり得る。
【００４７】
上側の支持部を形成するプレートは、針又は他の指示部のシャフトのための通過隙間を備えることができる。
【００４８】
上側の支持部を形成するプレートは、ガラスであり得る。
【００４９】
一実施例では、スライドバーは、ムーブメント又は追加のモジュールのプレートに固定された支持部に設けられている。
【００５０】
一実施例によれば、システムは、軌道に沿って２つのスライドバーを含んでいる。スライダは少なくとも２つのガイドピンを含んでいるため、スライダが軌道に沿って移動するときに、ピンは、２つのスライドバーにおいて同時に移動し、各スライドバーは、少なくとも１つのピンと協働する。この実施例では、ガイドピンは２つのスライドバーに収容されている。
【００５１】
２つのスライドバーは平行な部分を含むことができ、この平行な部分の間隔は、スライダにおけるピンの間隔に依存する。
【００５２】
一実施例によれば、システムは、軌道に沿って円形状のスライドバーを含んでおり、スライダは、例えば三角形の頂点に従って位置決めされた少なくとも３つのガイドピンを含んでおり、その結果、スライダが軌道に沿って移動するときに、前記ピンが円形状のスライドバーにおいて同時に移動する。
【００５３】
この後者の実施例では、スライダは、例えば、内歯部を有するホイールに取り付けられており、前記ホイールは、当該ホイールを回転駆動するために、歯部に噛合するピニオンによって作動される。ホイールの回転は、スライドバーにおけるスライダのピンの変位を駆動する。軌道は円形である。
【００５４】
本発明は、本発明による少なくとも１つのガイドシステムを含む、時計のためのモジュールに関するものでもある。モジュールは、例えばムーブメントである。
【００５５】
１つのモードでは、上記モジュールは、本発明による２つのシステムを含んでおり、
−２つのシステムは、軌道に沿ったそれぞれ２つのスライドバーを含んでおり、スライダは、少なくとも３つの整列していないガイドピンを含んでおり、その結果、スライダが軌道に沿って移動するときにスライダが２つのスライドバーにおいて同時に移動し、スライドバーが少なくとも１つのガイドピンと協働するか、又は
−２つのシステムは、それぞれ軌道に沿った円形のスライドバーを含んでおり、スライダは少なくとも３つのピンを含んでおり、その結果、スライダが軌道に沿って移動するときにピンが円形状のスライドバーにおいて同時に移動する。
【００５６】
これに代えて、モジュールは、
−軌道に沿った２つのスライドバーを含む１つのシステムを含んでおり、スライダは、少なくとも３つの整列していないガイドピンを含んでおり、その結果、スライダが軌道に沿って移動するときにスライダが２つのスライドバーにおいて同時に移動し、スライドバーが少なくとも１つのガイドピンと協働し、及び
−軌道に沿った円形のスライドバーを含む１つのシステムを含んでおり、スライダは少なくとも３つのピンを含んでおり、その結果、スライダが軌道に沿って移動するときにピンが円形状のスライドバーにおいて同時に移動する。
【００５７】
各システムのスライダは、異なる要素、例えば第１の表示手段、第２の表示手段に連結されることができ、前記表示手段は、時刻指示部であり得る。
【００５８】
ガイドシステムの実施例は、本発明によるモジュールに準用される。
【００５９】
本発明の実施例は、添付の図面によって示された説明において示される。
【図面の簡単な説明】
【００６０】
【図１Ａ】時針のある位置における本発明の第１の実施例を一般的に示す図である。
【図１Ｂ】時針のある位置における本発明の第１の実施例を一般的に示す図である。
【図２】図１Ａ及び図１Ｂのシステムの拡大図である。
【図３】図２のシステムの断面図である。
【図４】本発明の第２の実施例を示す図である。
【図５】本発明の第３の実施例を示す図である。
【発明を実施するための形態】
【００６１】
図面は、本発明のいくつかの実施例を図示するものであるが、本発明はこれら実施例に限定されない。
【００６２】
図１Ａは３時を指す時針１３を有するシステムの平面図であり、図１Ｂには、１時を指す時針を有する同一のシステムが図示されている。
【００６３】
各図に図示されたシステム１は、文字盤３側における腕時計（不図示）のためのムーブメントのプレート２に取り付けられている。この例のプレート２は２つのガイドシステム１を含んでいるが、読みやすさのために、１つのシステム１のみがプレート２の左部分において詳細に示されている。
【００６４】
システム１は、スライドバー５によって規定された軌道に沿って移動するスライダ４を含んでいる。
【００６５】
スライドバー５は、プレート２に固定された支持部６に設けられている。ここでは、スライドバー５は、２つの直線部分８によって結合された２つの円部分７を含む閉ループを形成している。直線部分８は、互いに平行となっているとともに、同一の長さを有している。したがって、スライドバー５は、その中央を通過する直線部分８に対して垂直な軸線（ｄ）に対して対称となっている。
【００６６】
各直線部分８の端部は、各縁部分７を２つの交点９へ寸断し、したがって、各直線部分８の一部は、各円部分７に含まれている。
【００６７】
スライダ４は、長方形のベースを含んでいる。ガイドピン１１がこのスライダの下側の下方において延びている。この例では、スライダ４は４つの頂部に位置決めされた４つのガイドピン１１を含んでおり、その結果、スライダ４は、４つのピン１１に設置されている。
【００６８】
ピンは、スライダを横切る開口部へ駆動されることができるか、又は他の手段によって一体的に統合されることができる。
【００６９】
この実施例では、ガイドピン１１は、ルビー又は低い摩擦係数を有する他の硬質材料、例えばセラミックから成る。ガイドピンを、スライドバー５に収容されたその先端部のみをルビーで構成することも可能である。この先端部は、ルビー又はセラミックボールで形成されることが可能である。ルビーは、例えばＤＬＣタイプの炭素コーティングによって置換することが可能である。
【００７０】
スライダは、指示部を有している。この例では、指示部は、スライダ４の平面に対して垂直に延びるロッド１２を含んでいる。このロッド１２は、支持プレートを横切ることができる。ロッド１２は、表示手段、ここでは針１３、例えば時針、分針又は秒針を有している。
【００７１】
図１に図示された実施例では、文字盤３は、文字盤の左側におけるシステムでは時針の変位をガイドするために、及び文字盤の右側における他のシステムは分針の変位をガイドするために、又はその逆のために２つのガイドシステム１を含んでいる。
【００７２】
システムは、スライダ４と支持要素、例えばこの効果のために設けられたプレート、ガラス、ブリッジ又は文字盤の内側との間に縮装されたショックアブソーバ（不図示）、例えばストリップスプリングを含むことが可能である。
【００７３】
そして、軌道の平面に対して垂直なスライド４の位置は、スライドバーとこの支持要素の間で拘束される。
【００７４】
このショックアブソーバにより、とりわけ、スライドバーと支持要素の間の許容誤差又は遊びを補償することが可能である。この場合、スライダ４の上側が支持要素の直下で摺動することを省略することが可能である。
【００７５】
スライダの上側は、支持要素の下方で１つ又はいくつかのスライドバーに係合したガイドピンを備えることが可能である。この態様は、非常に正確な位置決めが保証するものであるが、より大きな厚さを必要とするものである。
【００７６】
スライダの軌道に沿ったスライダ４の変位は、スライドバー５によって規定されている。図示の例では、この変位は、並進運動及び回転運動を含んでいる。スライダ４は、直線部分８において並進移動する。いったんスライダが直線部分８の一端にある（至る）と、各ガイドピン１１が交点９に位置する。この位置では、スライダ４は、１８０°の回転を行うことができ、そして、並進運動を再開する。
【００７７】
スライダ４は、内歯部１６を有しスライダに一体的に統合された半ホイール１５と噛合するピニオン１４によってスライドバー５において駆動される。ピニオン１４は、ピニオン１４を回転させるエネルギー源に運動学的な結合部によって結合されており、例えば、ピニオン１４は、腕時計の運動部に噛合している。
【００７８】
スライダ４は、半ホイール１５と一体的に統合されている。ここで、図３において図示されているように、ガイドピン１１のうち２つは半ホイール１５によって駆動されるため、ピニオン１４が半ホイール１５を駆動する場合には、スライダ４が半ホイール１５によって駆動される。
【００７９】
半ホイール１５は、直線セグメント１７及び円セグメント１８を含んでいる。ピニオン１４が直線セグメント１７に噛合する場合には、スライダ４は、スライドバー５の直線部分８において並進移動する。スライダ４と直線セグメント１７の端部の間の間隔は、ピニオン４が直線セグメント１７の一端に到達するときにガイドピン１１がスライドバー５の交点９に位置するように計算される。そして、ピニオン１４が円セグメント１８に噛合し、これにより、スライダ４の進行的な回転が生じる。ピニオン１４が円セグメント１８の端部に到達すると、スライダは１８０°の回転を行う。そして、並進−回転サイクルを再開するために、ピニオン１４が再び直線セグメント１７と噛合する。この配置により、各針の端部がだ円形の軌道を移動することができる。
【００８０】
図４は、本発明の第２の実施例によるシステム１００を示している。図４に示されたシステム１００は、ムーブメントのプレート１０２、つまり文字盤１０３によって覆われる前記プレートに取り付けられている。この例のプレート１０２は２つのガイドシステム１，１００を含んでいるが、読みやすさのために、１つのシステム１００のみが文字盤１０３の右側において詳細に示されている。なぜなら、（文字盤の左側の）システム１を第１の実施例において既に説明したためである。
【００８１】
システム１００は、スライドバー１０５によって規定された軌道に沿って移動するスライダ１０４を含んでいる。この実施例では、スライドバー１０５は円形である。
【００８２】
システム１００は、スライダ１０４と支持要素、例えばこの効果のために設けられたプレート、ガラス、ブリッジ又は文字盤の内側との間に縮装されたショックアブソーバ（不図示）、例えばストリップスプリングを含むことが可能である。
【００８３】
そして、軌道平面に対して垂直なスライド１０４の位置は、スライドバーとこの支持要素の間で拘束される。
【００８４】
スライダの軌道に沿ったスライダ１０４の変位は、スライドバー１０５によって規定されている。図示の例では、この変位は、スライド１０４において心合わせされた回転運動を含んでいる。
【００８５】
スライダ１０４は、長方形のベースを含んでいる。ガイドピン１１がこのスライダ１０４の下側の下方において延びている。第１の実施例と同様に、この例では、スライダ１０４は１０４つの頂部に位置決めされた４つのガイドピン１１１を含んでおり、その結果、スライダ４は、４つのピン１１１に設置されている。
【００８６】
スライダ１０４は、内歯部１１６を有しスライダに一体的に統合されたホイール１１５と噛合するピニオン１１４によってスライドバー１０５において駆動される。ピニオン１１４は、ピニオン１１４を回転させるエネルギー源に運動学的な結合部によって結合されており、例えば、ピニオン１４は、腕時計の運動部に噛合している。
【００８７】
スライダ１０４は、ホイール１１５と一体的に統合されている。ここで、スライダ１０４は三方分岐キャリッジ１１９に螺着されており、各分岐部の端部は、ホイール１１５に固定されている。したがって、ピニオン１１４がホイール１１５を駆動するときにスライダ１０４がホイール１１５によって駆動されるように、スライダ１０４がキャリッジ１１９によってホイール１１５に一体的に統合されている。
【００８８】
図５は、本発明の第３の実施例によるシステム２００を示している。図５に示されたシステム２００は、ムーブメントのプレート２０２、つまり文字盤２０３によって覆われる前記プレートに取り付けられている。この例のプレート２０２は２つのガイドシステム１，２００を含んでいるが、読みやすさのために、１つのシステム２００のみが文字盤１０３の右側において詳細に示されている。なぜなら、（文字盤の左側の）システム１を第１の実施例において既に説明したためである。
【００８９】
システム２００は、スライダ２０４及びピン２１１に関する事項を除いてシステム１００と同様である。システム２００では、スライダ２０４は、三角形のベースを有しているとともに、３つの分岐部を有するキャリッジ１１９に取り付けられている。スライダ２０４の各分岐部は、ピン２１１によってキャリッジ２１９の１つの分岐部において駆動され、したがって、スライダ２０４は３つのピン２１１を含んでいる。
【００９０】
スライダ２０４のピン２１１は、円形のスライドバー２０５において移動する。
【００９１】
スライダ２０４が固定されたキャリッジ２０５は、内歯部２１６を有するホイール２１５に取り付けられている。スライダ２０４の中心を通過する中心軸線２２０周りに回転するようスライダ２０４を駆動するために、ピニオン２１４は内歯部２１６に噛合している。
【００９２】
図４及び図５の実施例では、文字盤１０３，２０３は、月における日を表示するためのウィンドウ１２１，２２１を更に含んでいる。
【符号の説明】
【００９３】
１                第１の実施例によるシステム
２                プレート
３                文字盤側
４                スライダ
５                スライドバー
６                支持部
７                円形部分
８                直線部分
９                交点
１１              ガイドピン、例えば円すいピン
１２              ロッド
１３              針
１４              ピニオン
１５              半ホイール
１６              内歯部
１７              直線セグメント
１８              円セグメント
１００            第２の実施例によるシステム
１０２            プレート
１０３            文字盤側
１０４            スライダ
１０５            スライドバー
１０６            支持部
１１１            円形部分
１１２            直線部分
１１３            交点
１１４            ガイドピン、例えば円すいピン
１１５            ロッド
１１６            針
１１９            三方分岐部を有するキャリッジ
１２１            ウィンドウ
２００            第３の実施例によるシステム
２０２            プレート
２０３            文字盤
２０４            スライダ
２０５            スライドバー
２０６            支持部
２１１            ガイドピン、例えば円すいピン
２１２            ロッド
２１３            針
２１４            ピニオン
２１５            ホイール
２１６            内歯部
２１９            三方分岐部を有するキャリッジ
２２０            スライダの回転軸線
２２１            ウィンドウ
【図１Ａ】
2019056703.tif 000003
【図１Ｂ】
2019056703.tif 000004
【図２】
2019056703.tif 000005
【図３】
2019056703.tif 000006
【図４】
2019056703.tif 000007
【図５】
2019056703.tif 000008
【外国語明細書】
2019056703000001.pdf